(57)【要約】【課題】株立ちする植物の株元を食害する虫や株元周辺の地表面に侵入する虫を防止する株立ち植物用防虫ネットを提供する。【解決手段】株立ちする植物の地上にある株元付近への害虫の侵入を防ぐための株立ち植物用防虫ネットであって，前記株立ち植物用防虫ネットが網状帯の巾方向中途まで複数の切れ込みを入れた短冊状部と無切込部とを備えた株立ち植物用防虫ネットを植物の株元を覆うように円筒状に形成し，枝部分を避けるように短冊状部を折り重ね，短冊状部の絡み部で短冊状部同志を絡め，枝と枝の隙間を覆う事を特徴とする株立ち植物用防虫ネット。【選択図】図２
2011234659.tif 000002
【特許請求の範囲】
【請求項１】
株立ちする植物の地上にある株元付近への害虫の侵入を防ぐための株立ち植物用防虫ネットであって，前記株立ち植物用防虫ネットが網状帯の巾方向中途まで複数の切れ込みを入れた短冊状部と無切込部とを備え，前記短冊状部の少なくとも側端部に絡み部を有することを特徴とする株立ち植物用防虫ネット。
【請求項２】
前記絡み部が，網状帯の網目の目合いの半分以上の長さを有することを特徴とする請求項１に記載の株立ち植物用防虫ネット。
【請求項３】
前記網状帯の目合いは０．５ｍｍ以上１ｃｍ以下である事を特徴とする請求項１または請求項２に記載の株立ち植物用防虫ネット。
【請求項４】
前記無切込部に更に形状保持部材を有する事を特徴とする請求項１から請求項３のいずれか一項に記載の株立ち植物用防虫ネット。
【請求項５】
前記株立ち植物用防虫ネットが，更に株元周辺の地表面を覆う地表防虫部を有する事を特徴とする請求項１から請求項４のいずれか一項に記載の株立ち植物用防虫ネット。
【請求項６】
請求項１から請求項５のいずれか１項に記載の株立ち植物用防虫ネットを植物の株元を覆うように円筒状に形成し，枝部分を避けるように短冊状部を折り重ね，短冊状部の絡み部で短冊状部同志を絡め，枝と枝の隙間を覆う事を特徴とする株立ち植物用防虫ネットの使用方法。
【発明の詳細な説明】
【技術分野】
【０００１】
本発明は、株立ちする植物の株元を食害する虫や株元周辺の地表面に侵入する虫を防止するネットに関するものである。
【背景技術】
【０００２】
植物（樹木）の株元を食害する虫の中にはカミキリムシがいる。株元とは植物株の地際付近の根元部分をいう。カミキリムシは初夏頃現れ，主に株元に傷をつけ，その中に産卵孵化した幼虫は木質部を食餌しながら成長する。また，株元周辺の地表面に産卵するコガネムシがいる。孵化した幼虫は根を食餌しながら成長する。これらの虫の食害は植物の樹勢を衰えさせ，発見が遅れると枯れる原因にもなる。
【０００３】
従来は，株元を食害する虫に対しては，ビニール，アルミ箔，新聞などを株元に巻き食害を防ぐ方法が用いられるケースがある。土への虫の侵入に対しては，木のチップ，ヤシの繊維マットなどでマルチングし侵入を防ぐ方法などがある。
【０００４】
殺虫剤では，生物農薬を用いた害虫駆除方法および害虫駆除用製剤などがある（例えば，特許文献１参照）。その他にカミキリムシ食害防止装置として，樹木の根元部分周囲を網材で取り囲む方法がある（例えば，特許文献２参照）。
【先行技術文献】
【特許文献】
【０００５】
【特許文献１】特開平１０−６７６１３号公報
【特許文献２】登録実用新案第３１２４８９６号
【発明の概要】
【発明が解決しようとする課題】
【０００６】
解決しようとする問題点は、株元を食害する虫に対してビニールなどを巻く場合，エゴノキ，バラ，ジューンベリーなどの株立ち（樹木の形態の一つで，根元から数本の幹が立ち上がり，一つの木を構成しているものをいう）の樹木に対しては巻き難いだけでなく，通気性に問題がある場合や，新しい枝が生えてきた場合に枝の成長の妨げになる場合もある点である。また株元周辺の地表面に産卵する虫に対しては，木のチップなどでマルチングする方法を用いると施肥し難くなる場合がある点である。
【０００７】
また特許文献１のように，生物農薬を用いた害虫駆除方法や殺虫剤を用いた場合，使用者本人，他の人，ペットなども吸引するおそれがある上，果物などの樹木の場合，特に近年は健康面，安全面，環境面からも無農薬，減農薬が望ましいので，出来れば使用したくない点である。そして，雨が降る度に農薬が流出する事によって効果が減少するために数回の塗布または散布が必要になると思われる点である。
【０００８】
また特許文献２のように，カミキリムシ食害防止装置として，樹木の根元部分周囲を網材で取り囲むと株立ちの樹木に対応出来ないおそれがある点である。また，新しい枝の成長を妨げる場合もある点である。
【課題を解決するための手段】
【０００９】
本発明は、上記課題を解決するために試作を重ねた結果，以下の発明を完成させた。すなわち本発明は
（１）株立ちする植物の地上にある株元付近への害虫の侵入を防ぐための株立ち植物用防虫ネットであって，前記株立ち植物用防虫ネットが網状帯の巾方向中途まで複数の切れ込みを入れた短冊状部と無切込部とを備え，前記短冊状部の少なくとも側端部に絡み部を有することを特徴とする株立ち植物用防虫ネット，
（２）前記絡み部が，網状帯の網目の目合いの半分以上の長さを有することを特徴とする（１）に記載の株立ち植物用防虫ネット，
（３）前記網状帯の目合いは０．５ｍｍ以上１ｃｍ以下である事を特徴とする（１）または（２）に記載の株立ち植物用防虫ネット，
（４）前記無切込部に更に形状保持部材を有する事を特徴とする（１）から（３）のいずれか一項に記載の株立ち植物用防虫ネット，
（５）前記株立ち植物用防虫ネットが，更に株元周辺の地表面を覆う地表防虫部を有する事を特徴とする（１）から（４）のいずれか一項に記載の株立ち植物用防虫ネット，
（６）（１）から（５）のいずれか１項に記載の株立ち植物用防虫ネットを植物の株元を覆うように円筒状に形成し，枝部分を避けるように短冊状部を折り重ね，短冊状部の絡み部で短冊状部同志を絡め，枝と枝の隙間を覆う事を特徴とする株立ち植物用防虫ネットの使用方法，
からなる。
【発明の効果】
【００１０】
本発明によれば，植物の成長を妨げる事なく，安全，容易にカミキリムシやコガネムシなどの害虫の侵入を防除できる。更に本発明は網状帯を使用しているので，通気性が良い。
【００１１】
本発明の株立ち植物用防虫ネットは網状帯の巾方向中途まで複数の切れ込みを入れた短冊状部と無切込部とを備えた株立ち植物用防虫ネットを使用する事により，樹木が一本立ち，株立ちに関わらず虫の侵入を防ぐのに有効である。また，開いた状態でプランターなどに使用する事もできる。
【００１２】
本発明の植物用防虫ネットを植物の株元を覆うように円筒状に形成し，枝部分を避けるように短冊状部を折り重ねるようにして枝と枝の隙間を覆う事により，特に株元を食害する虫の侵入を防ぐのに有効である。
【００１３】
更に短冊状部同志を絡みやすくするために，株立ち植物用防虫ネットの短冊状部の少なくとも側端部，より効果的には短冊状部全面に絡み部を有する事により，短冊状部同志を絡みやすくする事を可能にし，より虫の侵入を防ぐのに有効である。
【００１４】
更にプラスチック，植物繊維，ゴム，金属からなる群の少なくともいずれか一つの網状帯である事により，短冊状部同志が絡みやすく，かつ虫の脚に絡みやすい事により，虫の侵入を防ぐのに有効である。
【００１５】
更に無切込部に形状保持部材を有する事により，植物の大きさにより巻き加減を調節し形状を保持し，株立ち植物用防虫ネットの自立も保持される。
【００１６】
本発明の株立ち植物用防虫ネットは，更に株元周辺の地表面を覆う地表防虫部を有する事により，雨や水やり時の水の跳ね返りを防ぐ効果があるため，水の跳ね返りによる植物の病気の予防効果が期待される。また，雑草が生えるのを防ぐ効果もある。地表防虫部も株立ち植物用防虫ネットと同じく網材を使用しているので，通気性が良い。
【００１７】
更に地表防虫部をしたままで，水遣りができる。また，肥料などの施肥も地表防虫部を少し持ち上げる事で容易にできる。
【００１８】
本発明の株立ち植物用防虫ネットは鉢植え，地植えを問わず容易に設置使用できる。
【図面の簡単な説明】
【００１９】
【図１】本発明に係る株立ち植物用防虫ネットの平面図である。
【図２】同株立ち植物用防虫ネットの縦横格子網の短冊状部の絡み部拡大図である。
【図３】同株立ち植物用防虫ネットの斜め格子網の短冊状部の絡み部拡大図である。
【図４】同株立ち植物用防虫ネットの短冊状部のギザギザ状の絡み部拡大図である。
【図５】同株立ち植物用防虫ネットを広げた状態で使用した場合の斜視図である。
【図６】同株立ち植物用防虫ネットを円筒状に形成した実施例である。
【図７】同株立ち植物用防虫ネットを円筒状に形成した他の実施例である。
【図８】同株立ち植物用防虫ネットの他の実施例を鉢の樹木に使用した例である。
【図９】同株立ち植物用防虫ネットの地表防虫部のみの平面図である。
【発明を実施するための形態】
【００２０】
以下，本発明を実施するための形態について図面を参照しながら説明する。
図１は株立ち植物用防虫ネット１００の平面図である。
本発明の株立ち植物用防虫ネット１００は網状帯の巾方向中途まで複数の切れ込みを入れた短冊状部１０１と無切込部１０２とを備えている。網状帯とは網目を有する帯であり，その素材としては，例えばプラスチック（ポリエチレン，ナイロンなど），植物繊維（紙，ヤシの繊維など），ゴム，金属（銅，ステンレス，ガラスなど）などがある。網状の素材を使用する事により通気性が良い。枝と枝の隙間から虫が侵入できないように株元を覆うために，短冊状部１０１の少なくとも側端部（１０１ｄ）に絡み部を有する形状とする事により，短冊状部１０１同志が絡みやすく，更に虫の脚も絡みやすいため，忌避効果を高める事できる。更に短冊状部１０１同志の固定を強固にしたい場合には，短冊状部１０１の先端部または全端部に，鉤，凹凸留め具，面ファースナー，粘着テープなど，短冊状部１０１同志を固定する事が可能な部位を有すると良い。網目の目合い（網目の一辺の長さをいう）の大きさは虫が通る事が出来ない程度の０．５ｍｍ以上１ｃｍ以下が好ましい。また本発明の株立ち植物用防虫ネット１００として虫の脚が絡みやすい素材を使用するとより防虫作用があり好ましい。本発明の株立ち植物用防虫ネット１００の巾および長さは，植物の大きさによって適宜選択する。本発明の株立ち植物用防虫ネット１００の網材として，抗菌作用のあるカテキン，キトサン，炭や，忌避効果があるニーム，除虫菊などの天然の安全な成分を練り込んだ素材を使用すると，より好適である。
【００２１】
短冊状部１０１は３本以上が好ましい。短冊状部１０１の巾は植物の大きさにより選択するが，５ｍｍ以上が望ましい。短冊状部１０１の長さは植物の大きさにより選択するが，株元を覆う事ができる程度の長さが望ましい。無切込部１０２には形状を保持するために形状保持部材１０３を使用しても良い。形状保持部材１０３としては，設置した時に形状を保持する程度の強度を有する物が好ましく，例えば針金，形状記憶合金，プラスチック，布，紙，ゴムなどが適する。形状保持部材１０３は無切込部１０２に一箇所以上あると，より形状を維持するのに有効である。
【００２２】
図２は本発明の株立ち植物用防虫ネット１００の縦横格子網の場合の短冊状部１０１の絡み部１０１ａの拡大図である。図３は，斜め格子網の場合の短冊状部１０１の絡み部１０１ｂの拡大図である。絡み部１０１ａと絡み部１０１ｂのように短冊状部１０１の少なくとも側端部１０１ｄに切れ端のほつれを有する事が好適であり，網状帯の目合いの中央を切断する時にできる切端のほつれを絡み部１０１ａ，１０１ｂとするとコストがかからないので良い。その場合，絡みやすさを考慮すると少なくとも目合いの半分以上の長さの絡み部１０１ａ，絡み部１０１ｂを有する事が好適である。また，絡み部１０１ａは切端部分の縦糸を１〜数本抜いて，絡み部を長くし絡み易さを調整する事も良い。
【００２３】
図４は本発明の株立ち植物用防虫ネット１００の短冊状部１０１の絡み部の形状がギザギザ状の絡み部拡大図である。図４に示すように短冊状部１０１の絡み部がギザギザ状絡み部１０１ｃの場合も短冊状部１０１同志が絡みやすいので好適である。
【００２４】
図２および図３および図４に示すように短冊状部１０１の側端部１０１ｄを含む全端部に絡み部を有する構成とすることにより、より短冊状部１０１同士を絡みやすくすることが可能となり、防虫効果をより高めることが可能である。
【００２５】
また本発明の短冊状部１０１は短冊状部１０１同志を結び付けて使用しても良い。また、絡み部の長さを調整し、他の短冊状部の絡み部を結び合わせて使用してもよい。これにより、枝と枝の隙間から虫が侵入できない効果を高めることが期待できる。
【００２６】
図５は本発明の株立ち植物用防虫ネット１００の使用状態を表した図である。図５に示すようにプランター１０５や地植えなどに使用する際には本発明の株立ち植物用防虫ネット１００を広げた状態で使用する事もできる。株立ち植物用防虫ネット１００を広げた状態で植物１０４を挟むように設置し地表面を覆う事によって，株元周辺の地表面に産卵するコガネムシなどの虫を防ぐのに有効である。図５では二つの株立ち植物用防虫ネット１００の短冊状部１０１部分で植物１０４を挟んで使用している。本発明の株立ち植物用防虫ネット１００は短冊状部１０１を有するので，既に植物１０４が生えている状態でも短冊状部１０１を調整して隙間なく株元を覆う事が可能である。
【００２７】
図６および図７は本発明の株立ち植物用防虫ネット１００を円筒状に形成した図である。株立ち植物用防虫ネット１００の無切込部１０２に形状保持部材１０３を有すると円筒状を保持しやすくなる。図７は株立ち植物用防虫ネット１００の他の実施例である。図７に示すように，無切込部１０２は根元部近傍の地表部分を少し覆うような長さであっても良い。場合によっては無切込部１０２で鉢上部の地表全面を覆う事により，地表面に産卵するコガネムシの侵入をも防ぐ事ができる。
【００２８】
図８は図７に示した株立ち植物用防虫ネット１００の他の実施例を実際に鉢１０７に植えた樹木１０６に使用した例である。図８のように無切込部１０２の長さは切断して植物や鉢の大きさなどにより適宜調節する事が可能である。本発明の株立ち植物用防虫ネット１００は短冊状部１０１を有するので，樹木の枝ぶりに関わらず，株元を隙間がないように覆う事が出来るため，樹木が一本立ちや株立ちに関わらず株元への虫の侵入を防ぐのに有効である。新しい枝が伸びてきた場合，成長を妨げる事なくその部分を避けて短冊状部１０１で覆う事ができ，虫の侵入を防ぐ事ができる。
【００２９】
図９は地表面への虫の侵入を防ぐ地表防虫部２００の例である。図６に示す株立ち植物用防虫ネット１００と図９に示すような地表防虫部２００を別途地表部に設けて組み合わせて使用しても良い。図９に示す地表防虫部２００は鉢の形状に合わせて裁断された網の中央部分に植物が貫通する貫通穴２０１を備え，植物に装着しやすいように，数箇所に細かい開口切込部２０２と，貫通穴２０１から網の縁までに植物に装着しやすい様に装着用開口切込部２０２ａを一箇所設け，植物の株元周辺の地表面を覆うよう形成されている。株立ち植物用防虫ネット１００と併用する事によって，株元と地表面の両方を虫の侵入から防ぐ事ができる。地表防虫部２００の素材は株立ち植物用防虫ネット１００と同じ素材が好ましい。
【符号の説明】
【００３０】
１００    株立ち植物用防虫ネット
１０１    短冊状部
１０１ａ  縦横格子網の絡み部
１０１ｂ  斜め格子網の絡み部
１０１ｃ  ギザギザ状絡み部
１０１ｄ  側端部
１０２    無切込部
１０３    形状保持部材
１０４    植物
１０５    プランター
１０６    樹木
１０７    鉢
２００    地表防虫部
２０１    貫通穴
２０２    開口切込部
２０２ａ  装着用開口切込部
【図１】
2011234659.tif 000003
【図２】
2011234659.tif 000004
【図３】
2011234659.tif 000005
【図４】
2011234659.tif 000006
【図５】
2011234659.tif 000007
【図６】
2011234659.tif 000008
【図７】
2011234659.tif 000009
【図８】
2011234659.tif 000010
【図９】
2011234659.tif 000011